(57)【要約】【課題】作業性を損なうことなくドリルモードへの切替を可能とする。【解決手段】インパクトドライバ１Ａにおいて、ハンドル１０の前方でハンマーケース６の下部に、ハンマーケース６内へ突出し、前進位置のハンマー２２と係合してその後退を規制する突出位置とハンマー２２から離れてその後退を許容する退避位置との間をスライド可能なストッパピン３５と、ストッパピン３５を退避位置へ付勢するコイルバネ３８と、外部からの操作によりストッパピン３５をコイルバネ３８の付勢に抗して退避位置から突出位置へスライドさせるモード切替ボタン４０と、を設けて、モード切替ボタン４０によってストッパピン３５を突出位置に移動させた際には、ハンマー２２の後退を規制してアーム２１，２１に対するハンマー２２の係脱動作を阻止し、アンビル９をスピンドル７と一体回転させるようにした。【選択図】図１
2011083868.tif 000002
【特許請求の範囲】
【請求項１】
ハウジング内でモータによって回転するスピンドルと、そのスピンドルの前方で前記ハウジングに同軸で軸支され、ビットが装着される前端を前記ハウジングの前方へ突出させ、後端にアームを放射状に突設したアンビルと、そのアームに係合する爪を前面に突設して前記スピンドルに外装され、前記アンビルのトルクに応じて前後移動して前記アームと係脱し、前記スピンドルの回転を回転打撃力として前記アンビルに伝達するハンマーと、前記ハウジングから下向きに突出するハンドルと、を備えた打撃工具であって、
前記ハンドルの前方で前記ハウジングの下部に、
前記ハウジング内へ突出し、前記爪が前記アームに係合する前記ハンマーの前進位置で前記ハンマーと係合してその後退を規制する突出位置と、前記ハンマーから離れて前記ハンマーの後退を許容する退避位置との間をスライド可能なストッパ部材と、
前記ストッパ部材を前記退避位置へ付勢する付勢手段と、
外部からの操作により前記ストッパ部材を前記付勢手段の付勢に抗して前記退避位置から前記突出位置へスライドさせる操作部材と、を設けて、
前記操作部材によって前記ストッパ部材を前記突出位置に移動させた際には、前記ハンマーの後退を規制して前記アームに対する前記ハンマーの係脱動作を阻止し、前記アンビルを前記スピンドルと一体回転させることを特徴とする打撃工具。
【請求項２】
前記ストッパ部材を、前記ハウジングに設けた軸受によって回転可能に保持される軸体としたことを特徴とする請求項１に記載の打撃工具。
【請求項３】
前記ハウジング内の前端に、前記アームの前面に当接して前記アンビルが貫通するスラスト軸受を設けたことを特徴とする請求項１又は２に記載の打撃工具。
【発明の詳細な説明】
【技術分野】
【０００１】
本発明は、ハウジングの前方へ突出させたアンビルに回転打撃力を発生させるインパクトドライバ等の打撃工具に関する。
【背景技術】
【０００２】
インパクトドライバ等の打撃工具においては、ハウジング内でモータによって回転するスピンドルと、そのスピンドルに外装されて両者に設けた溝に跨って嵌合するボールを介して連結され、前面に一対の爪を突設したハンマーと、ハウジングに同軸で軸支され、ビットが装着される前端をハウジングの前方へ突出させ、後端に一対のアームを放射状に形成したアンビルと、ハンマーを爪とアームとが回転方向で係合する前進位置に付勢するコイルバネとを備えている。すなわち、アンビルのトルクが高まった際には、溝内を転動するボールの案内でハンマーが後退してアームから離れ、再びコイルバネの付勢によって回転しながら前進してアームに係合する動作を繰り返すことで、アンビルに回転打撃力（インパクト）を間欠的に発生させるものである。
【０００３】
このような打撃工具においては、例えば下穴にネジ止めを行うような場合に、まず電動ドリルで下穴を穿設した後、インパクトドライバ等の打撃工具でネジ止めを行うというように異なる工具が使い分けられている。従って、工具の準備や交換が必要となって作業性が低下してしまう。インパクトドライバにドリルビットを装着すれば穿孔は可能であるが、タイル等の比較的脆い被加工材であると、インパクトの発生によって破損するおそれがある。
そこで、特許文献１に示すように、ハンマーの軸方向の移動を任意に規制してハンマーとアームとを常に係合状態とするハンマー規制手段を設けた打撃工具が発明されている。この打撃工具によれば、ハンマー規制手段によってドリルモードが得られ、工具の使い分けが不要となる。
【先行技術文献】
【特許文献】
【０００４】
【特許文献１】特許第２８２８６４０号公報
【発明の概要】
【発明が解決しようとする課題】
【０００５】
しかし、特許文献１に開示されるハンマー規制手段は、打撃機構を収容するギヤケースの外周にリング状の操作ハンドルを外装し、その操作ハンドルに設けた係合ピンを、ギヤケースに設けた傾斜状のカム溝を貫通させてハンマーの外周に設けた環状の凹溝に係止させる構造となっている。すなわち、操作ハンドルの回転によって係合ピンを前方に移動させてハンマーの後退を規制することでドリルモードを得るものである。従って、モードの切替の際には一方の手で工具本体を保持しつつ、他方の手で操作ハンドルを回転させる操作が必要となり、切替操作が面倒となっている。特に、片手にネジ等を持った状態で作業を行っている際には、モード切替の度にいちいちネジ等をおいて両手で切替操作することになり、使い勝手に問題があった。
【０００６】
そこで、本発明は、ドリルモードが得られるのは勿論、片手でも簡単にモード切替が行え、使い勝手に優れる打撃工具を提供することを目的としたものである。
【課題を解決するための手段】
【０００７】
上記目的を達成するために、請求項１に記載の発明は、ハンドルの前方でハウジングの下部に、ハウジング内へ突出し、爪がアームに係合するハンマーの前進位置でハンマーと係合してその後退を規制する突出位置とハンマーから離れてハンマーの後退を許容する退避位置との間をスライド可能なストッパ部材と、ストッパ部材を退避位置へ付勢する付勢手段と、外部からの操作によりストッパ部材を付勢手段の付勢に抗して退避位置から突出位置へスライドさせる操作部材と、を設けて、操作部材によってストッパ部材を突出位置に移動させた際には、ハンマーの後退を規制してアームに対するハンマーの係脱動作を阻止し、アンビルをスピンドルと一体回転させることを特徴とするものである。
請求項２に記載の発明は、請求項１の構成において、ストッパ部材を、ハウジングに設けた軸受によって回転可能に保持される軸体としたことを特徴とするものである。
請求項３に記載の発明は、請求項１又は２の構成において、ハウジング内の前端に、アームの前面に当接してアンビルが貫通するスラスト軸受を設けたことを特徴とするものである。
【発明の効果】
【０００８】
請求項１の発明によれば、本来のインパクトモードに加えて、インパクトが発生しないドリルモードでも使用できる。よって、工具の使い分けが不要となって作業性が良好となる。特にここでは、ハンドルを把持する片方の手で操作部材を操作してモード切替が行えるため、モード切替の度に作業を中断する必要がなく、片手でも簡単にモード切替が可能となって使い勝手に優れる。
請求項２の発明によれば、請求項１の効果に加えて、ドリルモードの際にはハンマーの回転に連れてストッパ部材も回転し、ストッパ部材との摩擦によるハンマーへの回転抵抗やハンマー及びストッパ部材の摩耗が抑えられ、耐久性が維持できる。
請求項３の発明によれば、請求項１又は２の効果に加えて、ハンマーの強制的な後退規制によって発生するアンビルへの前向きの押圧力を緩和して、アンビルに生じるトルクロスを効果的に抑制可能となる。
【図面の簡単な説明】
【０００９】
【図１】形態１のインパクトドライバの一部縦断面図である（ドリルモード）。
【図２】図１のＡ−Ａ線断面図で、（Ａ）はドリルモード、（Ｂ）はインパクトモードで夫々示す。
【図３】形態１のインパクトドライバの前方部分の縦断面図である（インパクトモード）。
【図４】形態２のインパクトドライバの一部縦断面図である（ドリルモード）。
【図５】切替レバー及びモード切替ブロックの説明図である。
【図６】形態２のインパクトドライバの前方部分の縦断面図である（インパクトモード）。
【図７】図４のＢ−Ｂ線断面図で、（Ａ）はドリルモード、（Ｂ）はインパクトモードで夫々示す。
【図８】形態３のインパクトドライバの一部縦断面図である（ドリルモード）。
【図９】切替レバー及びモード切替プレートの説明図である。
【図１０】図８のＣ−Ｃ線断面図で、（Ａ）はドリルモード、（Ｂ）はインパクトモードで夫々示す。
【発明を実施するための形態】
【００１０】
以下、本発明の実施の形態を図面に基づいて説明する。なお、形態２以降において、形態１と共通する構成部には同じ符号を付して重複する説明を省略している。
［形態１］
図１に示すように、打撃工具の一例であるインパクトドライバ１Ａは、左右の半割ハウジング３，３を組み付けて形成され、モータ４を収容する本体ハウジング２と、その本体ハウジング２の前方（図１の右側）に組み付けられ、スピンドル７、打撃機構８、アンビル９を収容する前側のハウジングである断面釣り鐘形状のハンマーケース６とを備えてなる。本体ハウジング２の下方には、下端に電源となる図示しないバッテリーパックを装着したハンドル１０が下向きに延設され、ハンドル１０内の上部には、トリガー１２を備えたスイッチ１１が収容されている。また、本体ハウジング２におけるハンマーケース６の下方でトリガー１２との間には、ハンマーケース６の下方部分を覆う延設部１３が形成され、延設部１３の内部前方には、アンビル９の前方へ向けたライトユニット１４が装着されている。
【００１１】
モータ４の出力軸５は、本体ハウジング２に組み付けられたギヤケース１５に軸支されて、出力軸５にはハンマーケース６内に突出するピニオン１６が嵌着されている。ハンマーケース６内においてスピンドル７は、後方軸心に、ピニオン１６が挿入される中空部１７を有し、スピンドル７の外周には、インターナルギヤ１９内で公転する２つの遊星歯車１８，１８を保持して、ピニオン１６に噛合させている。スピンドル７の後端部は、ギヤケース１５に支持されるボールベアリング２０によって、出力軸５と同軸で軸支されている。
【００１２】
また、ハンマーケース６内でアンビル９の後端には、一対のアーム２１，２１が放射状に延設されている。打撃機構８は、スピンドル７の前端に外装され、アーム２１，２１に係合する一対の爪２３，２３を前面に突設したハンマー２２と、そのハンマー２２を爪２３がアーム２１に係合する前進位置へ付勢するコイルバネ２４とを備えている。ハンマー２２は、その内周面に前端から後方へ向けて凹設されて後端が先細りとなる山形溝２５，２５と、スピンドル７の外周面で先端を前方に向けて凹設されたＶ字溝２６，２６とに跨って嵌合するボール２７，２７を介してスピンドル７と連結されている。
【００１３】
一方、アンビル９は、ハンマーケース６の前端に保持されたメタル軸受２８によって中間部が軸支され、後面軸心に形成した軸受孔２９に、スピンドル７の前端に突設した小径部３０を嵌合させて、スピンドル７の前端を同軸で軸支している。また、ハンマーケース６の内部前端でメタル軸受２８の後方には、アンビル９が貫通してアーム２１，２１の前面が当接するスラストニードルベアリング３１が設けられて、アーム２１，２１をスラスト方向で支持している。
さらに、ハンマーケース６から突出するアンビル９の前端には、ビットの装着孔３２が形成されると共に、装着孔３２に挿入されたビットを抜け止め装着するボール３３及びスリーブ３４等を備えたチャック機構が設けられている。
【００１４】
そして、ハンドル１０の前側でハンマーケース６の下部には、図２にも示すように、軸体のストッパ部材であるストッパピン３５が上下方向に貫通して、ハンマーケース６に設けられたボールベアリング３６によって回転可能且つ上下方向へ移動可能に支持されている。また、ストッパピン３５において、ボールベアリング３６の下面とストッパピン３５の下端に設けたフランジ３７との間には、付勢手段となるコイルバネ３８が外装されて、ストッパピン３５をハンマーケース６から下方への突出方向へ付勢している。
【００１５】
また、延設部１３の基端において、ストッパピン３５とトリガー１２との間には、左右方向に貫通する貫通孔３９が形成され、その貫通孔３９内に、下方へ付勢されるストッパピン３５が当接する操作部材としてのモード切替ボタン４０がスライド可能に遊挿されている。
このモード切替ボタン４０は、上面にストッパピン３５の下端が係止する凹部４１を形成した棒状体で、凹部４１は、最も深い第一当接面４２と、その第一当接面４２よりも浅い第二当接面４３と、両当接面４２，４３の間で両者を繋ぐ傾斜面４４とが左右方向に並設された段差状となっている。４５は、ストッパピン３５の下端に設けられて下面から突出し、凹部４１に当接するボールである。
【００１６】
よって、モード切替ボタン４０は、貫通孔３９から露出する左右の端部を選択的に押圧することで、ストッパピン３５が凹部４１内を相対的に移動できる範囲で左右にスライド可能となる。
ここで、モード切替ボタン４０を、第一当接面４２がストッパピン３５の下方に位置する左端にスライドさせると、図２（Ｂ）及び図３のように、ストッパピン３５はコイルバネ３８の付勢によってボール４５が第一当接面４２に当接する位置まで下降し、上端をハンマーケース６内から退避させる（退避位置）。
一方、モード切替ボタン４０を、第二当接面４３がストッパピン３５の下方に位置する右端にスライドさせると、図１及び図２（Ａ）のように、ストッパピン３５はボール４５が相対的に傾斜面４４を転動して第二当接面４３に乗り上がることでコイルバネ３８の付勢に抗して上昇し、上端をハンマーケース６内に突出させる（突出位置）。この状態でストッパピン３５の上端は、前進位置にあるハンマー２２の後面に係合することになる。
【００１７】
以上の如く構成されたインパクトドライバ１Ａにおいては、前述のようにモード切替ボタン４０を右端へスライドさせてストッパピン３５を図２（Ｂ）の退避位置へ移動させると、ハンマー２２の後退が許容されるインパクトモードとなる。よって、ハンドル１０に設けたトリガー１２を操作してモータ４を駆動させると、出力軸５の回転が遊星歯車１８，１８を介してスピンドル７に伝わり、スピンドル７を回転させる。スピンドル７は、ボール２７，２７を介してハンマー２２を回転させ、ハンマー２２が係合するアンビル９を回転させるため、アンビル９の先端に装着したビットによってネジ締め等が可能となる。
【００１８】
ネジ締めが進んでアンビル９のトルクが高まると、ハンマー２２の回転とスピンドル７の回転とにずれが生じるため、ハンマー２２は、ボール２７，２７がＶ字溝２６，２６に沿って転動することで、スピンドル７に対して相対的に回転しながらコイルバネ２４の付勢に抗して後退する。
そして、ハンマー２２の爪２３がアーム２１から外れると、ハンマー２２はコイルバネ２４の付勢により、ボール２７，２７がＶ字溝２６，２６の先端に向けて転動することで回転しながら前進する。よって、ハンマー２２の爪２３が再びアーム２１に係合して回転打撃力（インパクト）を発生させる。このアンビル９への係脱を繰り返すことで増し締めが行われる。
【００１９】
一方、モード切替ボタン４０を左端へスライドさせてストッパピン３５を図２（Ａ）の突出位置へ移動させると、ストッパピン３５に係合してハンマー２２の後退が規制されるドリルモードとなる。よって、トリガー１２を操作してモータ４を駆動させると、スピンドル７の回転に伴ってハンマー２２が回転し、ハンマー２２とアンビル９とが一体に回転する。
そして、アンビル９のトルクが高まっても、ハンマー２２はストッパピン３５に係合してスピンドル７との相対回転が規制されるため、ハンマー２２はアーム２１に対して係脱動作を行わない。よって、インパクトは発生せず、アンビル９はスピンドル７と一体回転することになる。
【００２０】
このドリルモードの際、回転するハンマー２２と係合するストッパピン３５に回転力が作用するが、ストッパピン３５はボールベアリング３６に軸支されているので、ハンマー２２の回転に連れてストッパピン３５も回転する。よって、ストッパピン３５との摩擦によるハンマー２２への回転抵抗が抑えられ、ハンマー２２及びストッパピン３５の摩耗も抑えられる。
また、ストッパピン３５によってハンマー２２の後退を強制的に規制することで、ボール２７を介してスピンドル７に前向きの反力が発生し、この反力がアンビル９へ伝わってアーム２１，２１がハンマーケース６内の前端に押圧されるため、トルクロスに繋がる。しかし、ここではアーム２１，２１の前面がスラストニードルベアリング３１によって受けられているので、ハンマーケース６への押圧力が緩和されてアンビル９に生じるトルクロスが効果的に抑えられるようになっている。
【００２１】
このように、上記形態１のインパクトドライバ１Ａによれば、ハンドル１０の前方でハンマーケース６の下部に、ハンマーケース６内へ突出し、前進位置のハンマー２２と係合してその後退を規制する突出位置とハンマー２２から離れてその後退を許容する退避位置との間をスライド可能なストッパピン３５と、ストッパピン３５を退避位置へ付勢するコイルバネ３８と、外部からの操作によりストッパピン３５をコイルバネ３８の付勢に抗して退避位置から突出位置へスライドさせるモード切替ボタン４０と、を設けて、モード切替ボタン４０によってストッパピン３５を突出位置に移動させた際には、ハンマー２２の後退を規制してアーム２１，２１に対するハンマー２２の係脱動作を阻止し、アンビル９をスピンドル７と一体回転させるようにしたことで、本来のインパクトモードに加えて、インパクトが発生しないドリルモードでも使用できる。よって、工具の使い分けが不要となって作業性が良好となる。特にここでは、ハンドル１０を把持する片方の手でトリガー１２の真上にあるモード切替ボタン４０を左右にスライドさせてモード切替が行えるため、モード切替の度に作業を中断する必要がなく、片手でも簡単にモード切替が可能となって使い勝手に優れる。
【００２２】
また、ストッパピン３５を、ハンマーケース６に設けたボールベアリング３６によって回転可能に保持される軸体としたことで、ドリルモードの際にはハンマー２２の回転に連れてストッパピン３５も回転し、ストッパピン３５との摩擦によるハンマー２２への回転抵抗やハンマー２２及びストッパピン３５の摩耗が抑えられ、耐久性が維持できる。
さらに、ハンマーケース６内の前端に、アーム２１，２１の前面に当接してアンビル９が貫通するスラストニードルベアリング３１を設けたことで、ハンマー２２の強制的な後退規制によって発生するアンビル９への前向きの押圧力を緩和して、アンビル９に生じるトルクロスを効果的に抑制可能となる。
【００２３】
なお、上記形態１において、ストッパピンに設ける第一当接面と第二当接面との位置は左右逆でもよいし、モード切替ボタンは一部材でなく、例えば凹部を有する内側部分と貫通孔内を摺動する外側部分とを組み付ける等、複数の部材で形成してもよい。
【００２４】
［形態２］
図４に示すインパクトドライバ１Ｂにおいて、ここでの操作部材は左右へのスライドではなく、回転タイプである点が形態１と異なる。まずストッパピン３５の前方でハンマーケース６の下部には支点ピン５０が下向きに固定されて、この支点ピン５０に切替レバー５１の中間部が軸着されて、切替レバー５１の前方が延設部１３の外部へ露出する一方、切替レバー５１の後端には、第一、第二当接面４２，４３及び傾斜面４４を含む凹部４１を上面に形成した円弧状のモード切替ブロック５２が連結されている。すなわち、切替レバー５１の先端を左右方向へ回転させることで、図５のように支点ピン５０を中心としてモード切替ブロック５２を左右方向へ円弧移動させて、ストッパピン３５の下方に位置する第一、第二当接面４２，４３を選択可能としたものである。この切替レバー５１及びモード切替ブロック５２が操作部材となる。
【００２５】
よって、図５に二点鎖線で示すように切替レバー５１を左側へ回転操作してモード切替ブロック５２を延設部１３内の右端へ移動させると、図６及び図７（Ｂ）に示すように、第一当接面４２がストッパピン３５の下方に位置するため、ストッパピン３５が退避位置へ移動してハンマー２２の後退を許容するインパクトモードとなる。
一方、図５に実線で示すように切替レバー５１を右側へ回転操作してモード切替ブロック５２を延設部１３内の左端へ移動させると、図４及び図７（Ａ）に示すように、第二当接面４３がストッパピン３５の下方に位置するため、突出位置へ移動したストッパピン３５がハンマー２２に係合してその後退を規制するドリルモードとなる。各モードでの作動は形態１と同様である。
【００２６】
このように、上記形態２のインパクトドライバ１Ｂにおいても、本来のインパクトモードに加えて、インパクトが発生しないドリルモードでも使用できる。よって、工具の使い分けが不要となって作業性が良好となる。また、ここでも、ハンドル１０を把持する片方の手でトリガー１２の真上にある切替レバー５１を左右に揺動させてモード切替が行えるため、モード切替の度に作業を中断する必要がなく、片手でも簡単にモード切替が可能となって使い勝手に優れるという形態１と同じ効果が得られる。
【００２７】
なお、形態２においてもモード切替ブロックに設ける第一当接面と第二当接面とは左右逆にしてもよいし、切替レバーとモード切替ブロックとを全体で円盤状に形成する等の設計変更も可能である。
【００２８】
［形態３］
図８に示すインパクトドライバ１Ｃにおいては、ハンマーケース６の半径方向で出没可能なストッパピン３５が２本設けられている点が形態２と異なる。すなわち、図１０に示すように、ここではスピンドル７の軸線を通る上下方向の直線に対して所定角度傾斜した左右対称位置で、一対のストッパピン３５，３５が夫々ボールベアリング３６によって軸支されてコイルバネ３８によって下方の退避位置へ付勢されている。また、延設部１３は、ストッパピン３５，３５を含むハンマーケース６の下方側で正面視円弧状に形成されており、その延設部１３内に、ストッパピン３５，３５が夫々係止する凹部４１，４１を両端に形成したモード切替プレート５３が設けられている。
【００２９】
このモード切替プレート５３の各凹部４１にも、第一、第二当接面４２，４３及び両者間を繋ぐ傾斜面４４が夫々形成されて、延設部１３内でハンマーケース６の周方向へ移動可能となっている。また、モード切替プレート５３の中間部には、前後方向に延びる長孔５４が形成されて、その長孔５４に、切替レバー５１の後端に立設したピン５５が遊挿することで、モード切替プレート５３は切替レバー５１と連結されている。よって、切替レバー５１を左右に回転操作すると、ピン５５の前後方向への移動量は長孔５４に吸収されて、モード切替プレート５３は左右方向へスライドすることになる。
【００３０】
すなわち、図９に二点鎖線で示すように切替レバー５１を右側へ回転操作してモード切替プレート５３を延設部１３内の左端へスライドさせると、図１０（Ｂ）に示すように、各第一当接面４２が各ストッパピン３５の下方に位置するため、各ストッパピン３５が退避位置へ移動してハンマー２２の後退を許容するインパクトモードとなる。
一方、図９に実線で示すように切替レバー５１を左側へ回転操作してモード切替プレート５３を延設部１３内の右端へスライドさせると、図１０（Ａ）に示すように、各第二当接面４３が各ストッパピン３５の下方に位置するため、突出位置へ移動した各ストッパピン３５がハンマー２２に係合してその後退を規制するドリルモードとなる。各モードでの作動は形態１と同様である。
【００３１】
このように、上記形態３のインパクトドライバ１Ｃにおいても、本来のインパクトモードに加えて、インパクトが発生しないドリルモードでも使用できる。よって、工具の使い分けが不要となって作業性が良好となる。また、ここでも、ハンドル１０を把持する片方の手でトリガー１２の真上にある切替レバー５１を左右に揺動させてモード切替が行えるため、モード切替の度に作業を中断する必要がなく、片手でも簡単にモード切替が可能となって使い勝手に優れるという形態１と同じ効果が得られる。
さらに、ストッパピン３５を２本使用しているので、形態１，２よりも耐久性が高く、ドリルモードでの信頼性に優れる利点がある。
【００３２】
なお、形態３においてもモード切替プレートに設ける第一当接面と第二当接面とは左右逆にしてもよいし、切替レバーとモード切替プレートとを全体で円盤状にする等の設計変更も可能である。
【００３３】
そして、各形態に共通して、ストッパ部材としては軸体に限らず、板状体を採用してハウジング内へ出没させるようにしたり、付勢手段として弾性材料や錘を使用したり等、適宜変更可能である。また、ドリルモードではストッパ部材をハンマーの側面に設けた凹部等に係合させてもよい。
その他、例えばハウジングは本体ハウジングとハンマーケースとからなるものに限らず、本体ハウジングとハンマーケースとの一体型とする等、ハウジングや他の機構の形態は適宜変更可能である。勿論インパクトドライバ以外に、アングルインパクトドライバやインパクトレンチ等の他の打撃工具であっても本発明は採用可能である。
【符号の説明】
【００３４】
１Ａ〜１Ｃ・・インパクトドライバ、２・・本体ハウジング、４・・モータ、５・・出力軸、６・・ハンマーケース、７・・スピンドル、８・・打撃機構、９・・アンビル、２１・・アーム、２２・・ハンマー、２３・・爪、２４・・コイルバネ、２６・・Ｖ字溝、２７・・ボール、３１・・スラストニードルベアリング、３５・・ストッパピン、３６・・ボールベアリング、３８・・コイルバネ、３９・・貫通孔、４０・・モード切替ボタン、４１・・凹部、４２・・第一当接面、４３・・第二当接面、４４・・傾斜面、４５・・ボール、５０・・支点ピン、５１・・切替レバー、５２・・モード切替ブロック、５３・・モード切替プレート。
【図１】
2011083868.tif 000003
【図２】
2011083868.tif 000004
【図３】
2011083868.tif 000005
【図４】
2011083868.tif 000006
【図５】
2011083868.tif 000007
【図６】
2011083868.tif 000008
【図７】
2011083868.tif 000009
【図８】
2011083868.tif 000010
【図９】
2011083868.tif 000011
【図１０】
2011083868.tif 000012